(57)【要約】【課題】メンテナンスが比較的簡単に行えるとともに、装置自体をコンパクトに構成することができ、さらに、安全性の高い飲用水を使用した飲料を供給することができる飲料供給装置を提供することを目的とする。【解決手段】飲料供給装置１０は、収容している飲料用の粉末原料と、併設している飲用水ディスペンサ４０から提供された冷水または温水を用いて各種の飲料をカップＣ内で調製する装置であり、粉末原料供給装置２０が作動すると原料吐出口２１から粉末原料が吐出してシュート３０を介してカップＣに供給されるに合わせて冷水電磁弁５３を開放し、ＢＩＢ６０の飲用水を冷水タンク５１で冷やして貯留している冷水を冷水流量センサ５２、冷水電磁弁５３を通過させてエア抜き管５８を介して飲用水吐出ノズル３１から吐出して飲料をカップＣ内で調製する。【選択図】        図３
2009251772.tif 000002
【特許請求の範囲】
【請求項１】
飲用水容器に充填された飲用水を冷水または温水として提供する飲用水ディスペンサに併設され、飲料用の粉末原料と前記飲用水ディスペンサから提供される飲用水とをカップに吐出して飲料を供給する飲料供給装置であって、
前記飲用水ディスペンサから提供される飲用水を冷水または温水の何れかに選択するために操作される飲用水選択手段と、
複数種類の前記飲料用の粉末原料と、前記飲用水ディスペンサから提供される飲用水とから所望する飲料を選択するために操作される飲料選択手段と、
カップがセットされるカップセット部と、
前記複数種類の飲料用の粉末原料を収容し、前記飲料選択手段が操作されたときに、当該操作によって選択された粉末原料を前記カップセット部にセットされたカップに吐出して供給する複数の粉末原料供給装置と、
前記飲用水ディスペンサから提供される飲用水を前記カップセット部にセットされたカップに吐出する飲用水吐出ノズルと、
前記飲料選択手段が操作されたときに、当該操作によって選択された粉末原料を前記粉末原料供給装置から前記カップセット部にセットされたカップに吐出して供給し、前記カップに供給された粉末原料を当該カップ内で溶かすように前記飲用水吐出ノズルから吐出させる飲用水を前記飲用水ディスペンサから提供させる制御手段と、
を備えたことを特徴とする飲料供給装置。
【請求項２】
前記飲用水ディスペンサには、前記飲料供給装置に冷水を提供するための冷却手段と冷水弁および温水を提供するための加熱手段と温水弁、提供した冷水の流量を計測する冷水流量計測手段および温水の流量を計測する温水流量計測手段が設けられ、
前記制御手段は、前記飲料選択手段が操作されたときに、前記飲用水ディスペンサに設けている冷水弁または温水弁を開放し、前記冷水流量計測手段または温水流量計測手段から出力される流量が所定の流量に達すると前記開放した弁を閉じることを特徴とする請求項１に記載の飲料供給装置。
【請求項３】
前記粉末原料供給装置の少なくとも２つ以上に同一飲料用の粉末原料を収容し、
前記制御手段は、前記飲料選択手段で当該飲料を選択する操作がされたときには、当該同一飲料用の粉末原料が収容されている複数の粉末原料供給装置を同時に作動させて前記カップセット部にセットされたカップに吐出して供給することを特徴とする請求項１または請求項２に記載の飲料供給装置。
【請求項４】
前記飲料供給装置には、前記飲用水容器に充填されている飲用水を提供するための常温水選択手段をさらに備え、前記制御手段は、当該常温水選択手段が押圧されている間、前記飲用水ディスペンサに設けている常温水弁を開放して前記飲用水吐出ノズルから吐出させることを特徴とする請求項１に記載の飲料供給装置。
【発明の詳細な説明】
【技術分野】
【０００１】
本発明は、飲料供給装置に関し、より詳細には、冷水または温水と飲料用の粉末原料を使用して飲料を供給する飲料供給装置に関するものである。
【背景技術】
【０００２】
従来、この種の飲料供給装置として、例えば特許文献１に開示された飲料ディスペンサ装置が知られている。この飲料ディスペンサ装置は、複数種類の茶系飲料を供給可能な給茶機であり、茶系飲料用の複数種類の粉末原料を供給する複数のキャニスタと、湯水を供給する給水装置と、粉末原料と湯水とを攪拌する攪拌装置などを備えている。攪拌装置は、内部に回転自在の攪拌羽根を有する複数のミキシングボウルで構成されており、ミキシングボウルは各キャニスタごとに設けられている。また、各キャニスタとそれに対応するミキシングボウルとの間には、キャニスタから吐出された粉末原料をミキシングボウルに案内するシュートが設けられ、給水装置と各ミキシングボウルとの間には湯水をミキシングボウルに給水する給水パイプが接続されている。さらに、カップがセットされるカップステーションの上方には、各ミキシングボウルごとに複数の飲料ノズルが間隔を隔てて左右方向に並べて配置され、ミキシングボウルと飲料ノズルとの間にはミキシングボウル内で粉末原料および湯水が攪拌されて調製された飲料を飲料ノズルに通流させる飲料パイプが接続されている。
この飲料ディスペンサ装置で飲料をカップに供給するには、利用者が所望する飲料が供給されるカップステーションの所定位置にカップをセットし、飲料選択釦を押して好みの飲料を選択すると、その飲料用の粉末原料を収容するキャニスタが所定量の粉末原料をシュートを介してミキシングボウルに供給するとともに、給水装置から所定量の湯水を給水パイプを介して当該ミキシングボウルに供給し、同時にミキシングボウル内の攪拌羽根を回転させることにより、ミキシングボウル内で粉末原料および湯水が攪拌されて粉末原料を湯水に溶かした飲料が調製される。この調製された飲料が飲料パイプを介して飲料ノズルから吐出してカップに供給される。
【特許文献１】特開平１０−３３４３３９号公報
【発明の開示】
【発明が解決しようとする課題】
【０００３】
しかしながら、上記の飲料ディスペンサ装置では、カップへ飲料を供給する前に粉末原料と湯水をミキシングボウル内で攪拌することが必要であり、飲料の供給が繰り返し行われるとミキシングボウルの内面や攪拌羽根に汚れが付着しやすい。これらミキシングボウルの内面や攪拌羽根を衛生的に保つためには、ミキシングボウルおよび攪拌羽根の洗浄が必要である。しかし、これらの洗浄作業は非常に煩雑であり、しかもミキシングボウルおよび攪拌羽根は各キャニスタごとに設けられているため、ミキシングボウルおよび攪拌羽根の洗浄作業には長時間を要してしまう。さらに、ミキシングボウルや攪拌羽根と同様にシュートや飲料ノズルなども飲料の種類ごとに設けられているので、部品点数が多くなるとともに、飲料ディスペンサ装置が大型化する。加えて、上記の飲料ディスペンサ装置では、飲料の種類ごとにカップステーションの左右方向に互いに異なる位置にカップをセットするように構成されているため、左右方向の本体幅が大きくなってしまうこととなる。
また、コールド飲料やホット飲料を供給するためには、コールド飲料を調製するために必要とする冷水を作るための冷却水槽に貯留される冷却水を略０℃に冷却する冷却装置や、ホット飲料を供給するために必要とする温水を作るための電気ヒータを内蔵する温水タンクを備える必要から装置の寸法が大きくなり、その製造に要するコストも過大になるという問題があった。
【０００４】
さらに、飲料に対する関心が高くなるにつれ、飲料の調製に使用される飲用水についても、安全性の確保と、味などの官能面での品質追求が高く要求されるようになってきている。
本発明は、以上のような課題を解決するためになされたものであり、攪拌装置を使用することなく、粉末原料を用いた飲料を容易に得ることができ、また、メンテナンスが比較的簡単に行えるとともに、装置自体をコンパクトに構成することができ、さらに、安全性の高い飲用水を使用したコールド飲料やホット飲料を供給することができる飲料供給装置を提供することを目的とする。
【課題を解決するための手段】
【０００５】
上記目的を達成するため、本発明の請求項１に係る飲料供給装置は、飲用水容器に充填された飲用水を冷水または温水として提供する飲用水ディスペンサに併設され、飲料用の粉末原料と前記飲用水ディスペンサから提供される飲用水とをカップに吐出して飲料を供給する飲料供給装置であって、
前記飲用水ディスペンサから提供される飲用水を冷水または温水の何れかに選択するために操作される飲用水選択手段と、
複数種類の前記飲料用の粉末原料と、前記飲用水ディスペンサから提供される飲用水とから所望する飲料を選択するために操作される飲料選択手段と、
カップがセットされるカップセット部と、
前記複数種類の飲料用の粉末原料を収容し、前記飲料選択手段が操作されたときに、当該操作によって選択された粉末原料を前記カップセット部にセットされたカップに吐出して供給する複数の粉末原料供給装置と、
前記飲用水ディスペンサから提供される飲用水を前記カップセット部にセットされたカップに吐出する飲用水吐出ノズルと、
前記飲料選択手段が操作されたときに、当該操作によって選択された粉末原料を前記粉末原料供給装置から前記カップセット部にセットされたカップに吐出して供給し、前記カップに供給された粉末原料を当該カップ内で溶かすように前記飲用水吐出ノズルから吐出させる飲用水を前記飲用水ディスペンサから提供させる制御手段と、
を備えたことを特徴とする。
【０００６】
また、本発明の請求項２に係る飲料供給装置は、上述した請求項１において、前記飲用水ディスペンサには、前記飲料供給装置に冷水を提供するための冷却手段と冷水弁および温水を提供するための加熱手段と温水弁、提供した冷水の流量を計測する冷水流量計測手段および温水の流量を計測する温水流量計測手段が設けられ、
前記制御手段は、前記飲料選択手段が操作されたときに、前記飲用水ディスペンサに設けている冷水弁または温水弁を開放し、前記冷水流量計測手段または温水流量計測手段から出力される流量が所定の流量に達すると前記開放した弁を閉じることを特徴とする。
また、本発明の請求項３に係る飲料供給装置は、上述した請求項１または請求項２において、前記粉末原料供給装置の少なくとも２つ以上に同一飲料用の粉末原料を収容し、
前記制御手段は、前記飲料選択手段で当該飲料を選択する操作がされたときには、当該同一飲料用の粉末原料が収容されている複数の粉末原料供給装置を同時に作動させて前記カップセット部にセットされたカップに吐出して供給することを特徴とする。
また、本発明の請求項４に係る飲料供給装置は、上述した請求項１において、前記飲料供給装置には、前記飲用水容器に充填されている飲用水を提供するための常温水選択手段をさらに備え、前記制御手段は、当該常温水選択手段が押圧されている間、前記飲用水ディスペンサに設けている常温水弁を開放して前記飲用水吐出ノズルから吐出させることを特徴とする。
【発明の効果】
【０００７】
請求項１の発明によれば、攪拌装置を使用することなく、粉末原料を用いた飲料を容易に得ることができるので、メンテナンスが比較的簡単に行えるとともに、装置自体をコンパクトに構成することができ、さらに、安全性の高い飲用水を使用したコールド飲料やホット飲料を供給することができる飲料供給装置を実現することが可能になる。
請求項２の発明によれば、コールド飲料を供給するために必要とする冷水を作るための冷却装置や、ホット飲料を供給するために必要とする温水を作るための電気ヒータを内蔵する温水タンクを備える必要がなくなるので、装置自体をコンパクトに構成することができ、その製造に要するコストを低減することができる。
請求項３の発明によれば、同一飲料用の粉末原料が収容されている複数の粉末原料供給装置を同時に作動させてカップセット部にセットされたカップに吐出して供給することにより、コーヒー飲料などの粉末原料を多く必要とする飲料も短時間で利用者に供給することができる。
請求項４の発明によれば、常温水選択手段が押圧されている間、飲用水ディスペンサに設けている常温水弁が開放されて飲用水吐出ノズルからカップに常温水が供給されるので、例えば、薬を飲むときなどに使用する常温水をカップに供給することが容易にできる。
【発明を実施するための最良の形態】
【０００８】
以下に添付図面を参照して、本発明に係る飲料供給装置の好適な実施の形態について詳細に説明する。図１は本発明の実施の形態に係る飲料供給装置を示した斜視図であり、図２はその内部構造を示し、図３はその構成を模式的に示した説明図である。飲料供給装置１０はその内部に収容している飲料用の粉末原料と、併設する飲用水ディスペンサ４０から提供される飲用水としての冷水または温水とをカップに吐出して飲料を供給する装置であり、飲用水ディスペンサ４０は、ミネラルウオーターなどの飲用水が充填されて交換可能なＢＩＢ（Ｂａｇ  Ｉｎ  Ｂｏｘ：飲用水容器）６０を収容し、配管系統の途中に冷却装置で冷やされた冷水を貯留する冷水タンク５１と電気ヒータで温められた温水を貯留する温水タンク５４とを備え、冷水注出ノズル４３、温水注出ノズル４４から飲用水としての冷水、温水を注出するようになっている。
先ず、飲用水ディスペンサ４０について説明する。飲用水ディスペンサ４０は、ディスペンサ本体４１の前面下部を奥方向に凹ませてカップの載置台となるカップレスト４２が設けてあり、カップレスト４２の上部にはレバーを押し下げると、冷水を注出する冷水注出ノズル４３と、温水を注出する温水注出ノズル４４とが配設されている。
ディスペンサ本体４１内には、飲用水容器であるＢＩＢ６０が収容され、ＢＩＢ６０はコネクタ５０を介して冷水タンク５１および温水タンク５４に接続されている。冷水タンク５１はその周囲に蒸発器５１ａを巻装し、冷却装置（冷却手段：図示せず）の圧縮機で圧縮して凝縮器で凝縮した液冷媒が蒸発器５１ａで蒸発するときに発生する気化熱でＢＩＢ６０から供給される飲用水を冷やして冷水として貯留している。冷水タンク５１は冷水注出ノズル４３と、冷水流量センサ（冷水流量計測手段）５２、冷水電磁弁（冷水弁）５３を介してエア抜き管５８とに接続されている。冷水注出ノズル４３はレバーを押し下げると冷水タンク５１で冷やされている冷水がＢＩＢ６０と冷水注出ノズル４３との高低差による冷水の自重でノズルから注出される。冷水電磁弁５３は後述する供給制御部（制御手段）９０からの信号で弁が開放されると冷水タンク５１で冷やされている冷水がエア抜き管５８に供給され、供給されている冷水の流量は冷水流量センサ５２から供給制御部９０に出力される。
【０００９】
また、温水タンク５４はその内部に配設されている電気ヒータ（加熱手段）５４ａの発熱によりＢＩＢ６０から供給される飲用水を温めて温水として貯留している。温水タンク５４は温水注出ノズル４４と、温水流量センサ（温水流量計測手段）５５、温水電磁弁（温水弁）５６を介してエア抜き管５８とに接続されている。温水注出ノズル４４はレバーを押し下げると温水タンク５４で温められている温水がＢＩＢ６０と温水注出ノズル４４との高低差による温水の自重でノズルから注出される。温水電磁弁５６は供給制御部９０からの信号で弁が開放されると温水タンク５４で温められている温水がエア抜き管５８に供給され、供給されている温水の流量は温水流量センサ５５から供給制御部９０に出力される。
このように、飲用水ディスペンサ４０に、飲料供給装置１０に冷水を提供するための冷却手段と冷水電磁弁５３および温水を提供するための電気ヒータ５４ａと温水電磁弁５６、提供した冷水の流量を計測する冷水流量センサ５２および温水の流量を計測する温水流量センサ５５を設けているので、コールド飲料を供給するために必要とする冷水を作るための冷却装置や、ホット飲料を供給するために必要とする温水を作るための電気ヒータを内蔵する温水タンクを飲料供給装置１０に備える必要がなくなるので、飲料供給装置自体をコンパクトに構成することができ、その製造に要するコストも低減できる。さらに、安全性の高い飲用水を使用したコールド飲料やホット飲料を供給することができる飲料供給装置を実現することができる。
【００１０】
コネクタ５０とエア抜き管５８は常温水電磁弁（常温水弁）５７を介して接続され、常温水電磁弁５７が供給制御部９０からの信号で弁が開放されるとＢＩＢ６０に充填されている飲用水がエア抜き管５８に供給される。そして、冷水電磁弁５３、温水電磁弁５６または常温水電磁弁５７が供給制御部９０からの信号で弁が開放されてエア抜き管５８に冷水、温水または常温水（ＢＩＢ６０に充填されている温度の飲用水）がＢＩＢ６０との高低差による自重で供給されると、供給された冷水、温水または常温水は飲料供給装置１０に備えられている飲用水吐出ノズル３１からカップセット部１２にセットされているカップＣに吐出される。
次に、本発明の実施の形態に係る飲料供給装置１０について説明する。飲料供給装置１０は、収容している飲料用の粉末原料と、併設している飲用水ディスペンサ４０から提供された冷水または温水を用いて、各種の飲料（例えば、煎茶、抹茶、玄米茶、ほうじ茶、烏龍茶および紅茶、コーヒーなど）をカップＣ内で調製する装置である。なお、この飲料供給装置１０で用いられる粉末原料は、微細加工された粉末であり、湯はもちろんのこと、冷水にも容易に溶けるように加工されている。
飲料供給装置１０は、正面形状が縦長矩形状で、上部および下部が前方に大きく張り出して形成されている。また、飲料供給装置１０の上部前端部には、利用者によって操作される飲料選択操作部１１が設けられ、下部には、カップＣをセットするためのカップセット部１２が設けられている。
【００１１】
飲料選択操作部１１には、収容している複数種類の飲料用の粉末原料と、飲用水ディスペンサ４０から提供される飲用水とから所望する飲料を選択するために操作される飲料選択釦（飲料選択手段）１３が６つ設けてあり、各飲料選択釦１３が６つのキャニスタ２０にそれぞれ対応し、供給制御部９０に電気的にそれぞれが接続されている。
さらに、飲料選択操作部１１の上面には、飲用水ディスペンサ４０から飲料供給装置１０に提供される飲用水を冷水または温水の何れかに選択するために操作される飲用水選択釦（飲用水選択手段）１４と、常温水弁５７を開放してＢＩＢ６０に充填されている飲用水をそのままの温度で提供して飲用水吐出ノズル３１から吐出させる常温水選択釦（常温水選択手段）１５が設けられている。飲用水選択釦１４で冷水を選択して飲料選択釦１３を操作するとコールド飲料が供給され、温水を選択して飲料選択釦１３を操作するとホット飲料が供給される。常温水選択釦１５は常温水をカップＣに連続して供給する場合に操作されるもので、押圧されている間、飲用水ディスペンサ４０に設けている常温水電磁弁５７が開放されて飲用水吐出ノズル３１からカップＣに常温水が供給され、例えば、薬を飲むときに使用する常温水をカップＣに供給するときに使用される。
カップセット部１２は、上面が開放して所定の深さを有するケース１２ａと、このケース１２ａの内側に水平に設けられた簀の子状のカップトレイ１２ｂと、金属棒を曲げ加工して所定形状に形成されてカップトレイ１２ｂに立設されるカップガイド１２ｃとから構成されている。このカップセット部１２では、飲料供給装置１０の利用者により、カップＣがカップガイド１２ｃの上端部に前方から当接した状態でカップトレイ１２ｂに載置されると、カップＣは、飲用水吐出ノズル３１からの飲用水とシュート３０を介して複数種類の粉末原料を何れも供給可能な共通の供給位置にセットされる。
【００１２】
また、飲料供給装置１０は、カップセット部１２にセットされたカップＣに粉末原料を供給する粉末原料供給装置２０と、飲用水ディスペンサ４０から提供される冷水、温水または常温水をカップＣに吐出して供給する飲用水吐出ノズル３１と、これらを制御する供給制御部（制御手段）９０を備えている。
粉末原料供給装置２０は、互いに異なる複数種類の粉末原料をそれぞれ収容し、これらの粉末原料供給装置２０の下側には、各粉末原料供給装置２０の原料吐出口２１から吐出された粉末原料を下方のカップＣに案内するシュート３０が配設されている。複数の粉末原料をカップＣに吐出して供給する粉末原料供給装置２０は、飲料供給装置１０の上部ケース内に左右方向に並設した３つが前後対称として２列の合計６つの粉末原料供給装置２０が配設されている。このように配設される粉末原料供給装置２０は、粉末原料を収容するキャニスタ本体２２と、このキャニスタ本体２２内の底部で粉末原料を外部に送り出すための送出スクリュー（図示せず）と、この送出スクリューを駆動するモータ部２３とで構成されている。
そして、モータ部２３が作動することにより、送出スクリューが回転し、それにより、キャニスタ本体２２内の粉末原料が原料吐出口２１から吐出されてシュート３０からカップＣに供給される。そして、モータ部２３が所定時間（例えば３秒）作動することにより、送出スクリューが所定方向に所定角度回転し、原料吐出口２１から所定量（例えば０．３ｇ）の粉末原料が吐出される。
【００１３】
次に、本発明の実施の形態に係る飲料供給装置の制御について図４に示す制御ブロック図を用いて説明する。符号は、図１〜図３のものに対応している。制御は、供給制御部９０により行われ、飲料供給装置１０の制御データを格納するメモリ９１と、基準クロック発生部（図示せず）で発生するクロックをカウントして、粉末原料供給装置２０のモータ部２３の作動時間を計数するタイマー９２を有する。メモリ９１は所定量の粉末原料を供給するのに要するモータ部２３の作動時間、冷水電磁弁５３、温水電磁弁５６の開放により冷水流量センサ５２、温水流量センサ５５が出力する信号と比較するための基準値を記憶している。
また、飲用水ディスペンサ４０から提供される飲用水を冷水または温水の何れかに選択するために操作される飲用水選択釦１４、ＢＩＢ６０に充填されている飲用水を供給するための常温水選択釦１５、収容している複数種類の飲料用の粉末原料と、飲用水ディスペンサ４０から提供される飲用水とから所望する飲料を選択するために操作される飲料選択釦１３、冷水電磁弁５３が開放されて飲料供給装置１０に供給されている冷水の流量信号を供給制御部９０に出力する冷水流量センサ５２、温水電磁弁５６が開放されて飲料供給装置１０に供給されている温水の流量信号を供給制御部９０に出力する温水流量センサ５５、供給制御部９０が出力する信号で各々動作する、複数種類の飲料用の粉末原料を収容し、飲料選択釦１３が操作されたときに、当該操作によって選択された粉末原料をカップセット部１２にセットされたカップＣに吐出して供給する粉末原料供給装置２０、飲料供給装置１０に冷水を提供するための冷水電磁弁５３、温水を提供するための温水電磁弁５６、常温水選択釦１５が押圧されている間、ＢＩＢ６０に充填されている飲用水を供給するための常温水電磁弁５７を有している。
【００１４】
以上のような構成の飲料供給装置１０においては、次のようにして粉末原料と冷水または温水をカップＣに供給して飲料とすることができる。利用者が、カップセット部１２にカップＣをセットし、飲用水選択釦１４で飲用水ディスペンサ４０から提供される飲用水を選択（例えば冷水）し、所望の飲料（例えば煎茶）を選択する飲料選択釦１３を押圧すると、供給制御部９０が出力する信号で煎茶飲料用の粉末原料を収容している粉末原料供給装置２０のモータ部２３が作動して原料吐出口２１から煎茶用粉末原料が吐出してシュート３０を介してカップＣに供給される。煎茶用粉末原料がカップＣに供給されるに合わせて供給制御部９０が信号を出力して冷水電磁弁５３を開放すると、ＢＩＢ６０に充填されていた飲用水が冷水タンク５１で冷やされて貯留してある冷水が冷水流量センサ５２、冷水電磁弁５３を通過してエア抜き管５８を介して飲用水吐出ノズル３１からカップＣに吐出して供給される。そして供給制御部９０は予め決められている時間の間信号をモータ部２３に出力する。また、冷水流量センサ５２から出力されている流量信号が予め定められている値になると供給制御部９０は冷水電磁弁５３に出力している信号を停止する。このようにして供給された粉末原料は飲用水吐出ノズル３１から吐出された冷水でカップＣ内で溶かされて煎茶飲料となる。
【００１５】
このように、飲料選択釦１３が操作されたときに、当該操作によって選択された粉末原料を粉末原料供給装置２０からカップセット部１２にセットされたカップＣに吐出して供給し、カップＣに供給された粉末原料を当該カップ内Ｃで溶かすように飲用水吐出ノズル３１から吐出させる飲用水を飲用水ディスペンサ４０から提供させることにより、攪拌装置を使用することなく、粉末原料を用いた飲料を容易に得ることができ、ミキシングボウルおよび攪拌羽根の洗浄などが不要となるのでメンテナンスが比較的簡単に行えるようになる。
コーヒー飲料などの粉末原料を多く必要とする飲料の場合、１つの粉末原料供給装置２０から粉末原料を供給するのには時間が長くかかり、利用者に不便を強いることになる。そのため、少なくとも２つ以上の粉末原料供給装置２０に同一飲料用の粉末原料を収容し、当該飲料を選択する飲料選択釦１３が押圧されると当該同一飲料用の粉末原料が収容されている複数の粉末原料供給装置２０を同時に作動させてカップセット部１２にセットされたカップＣに粉末原料を同時に多く供給する。このようにすると、コーヒー飲料などの粉末原料を多く必要とする飲料も短時間で利用者に供給することができる。
尚、冷水流量センサ５２を冷水電磁弁５３の上流側に、また、温水流量センサ５５を温水電磁弁５６の上流側に設けた実施例で説明しているが、冷水流量センサ５２をコネクタ５０と冷水タンク５１との途中に、また、温水流量センサ５５をコネクタ５０と温水タンク５４との途中に、さらに、常温水流量を計測するセンサをコネクタ５０と常温水電磁弁５７との途中に設けるようにしても良い。このようにすることにより、ＢＩＢ６０から供給される飲用水の全ての流量を計測して供給制御部９０に流量信号を出力することができるので、供給制御部９０はＢＩＢ６０の飲用水残量を計算し、飲用水残量が所定量より少なくなるとＢＩＢ６０の交換を促す表示をすることなどが可能となる。
【図面の簡単な説明】
【００１６】
【図１】本発明の実施の形態に係る飲料供給装置を示した斜視図である。
【図２】図１における飲料供給装置の内部構造を示した図である。
【図３】図１における飲料供給装置の構成を模式的に示した説明図である。
【図４】本発明の実施の形態に係る飲料供給装置の制御ブロック図である。
【符号の説明】
【００１７】
１０    飲料供給装置
１２    カップセット部
１３    飲料選択釦（飲料選択手段）
１４    飲用水選択釦（飲用水選択手段）
１５    常温水選択釦（常温水選択手段）
２０    粉末原料供給装置
２１    原料吐出口
２２    キャニスタ本体
２３    モータ部
３０    シュート
３１    飲用水吐出ノズル
４０    飲用水ディスペンサ
５１    冷水タンク
５２    冷水流量センサ（冷水流量計測手段）
５３    冷水電磁弁（冷水弁）
５４    温水タンク
５５    温水流量センサ（温水流量計測手段）
５６    温水電磁弁（温水弁）
５７    常温水電磁弁（常温水弁）
６０    ＢＩＢ（飲用水容器）
９０    供給制御部（制御手段）
Ｃ    カップ
【図１】
2009251772.tif 000003
【図２】
2009251772.tif 000004
【図３】
2009251772.tif 000005
【図４】
2009251772.tif 000006